Podtech/llm-jp-corpus-v4-ja_patent huggingface dataset:
(57)【要約】【課題】芳香組成物の生成技術で有効成分組成との融合性に優れた汎用性を発揮し得る。加工は，高額な設備投資を押さえ、比較的簡単な装置を用い、作業技術でもって大量生産することを特徴とした。【解決手段】本発明は、上記諸課題を解決し、成分組成効用の有効性は、地域の天然資源を活用することで地域事業を育成し、地域の産業開発となる。【選択図】なし【特許請求の範囲】
【請求項１】
植物、木質砕片等からの成分組成含有物質を抽出して成る芳香組成物の加工抽出を得たことを特徴とする。
【請求項２】
成分組成抽出方法は、公知の精油、化学化合反応物質、蒸留製法との融合性の調整に得たことを特徴とする。
【請求項３】
単一芳香組成物、複数混合ステップ芳香組成物の組成生成を得ることを特徴とする。
【請求項４】
請求項３において同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、香料、芳香組成物生成する方法に関するものである。【０００２】上記の芳香組成物は、癒し効果、自然治癒効果を高めるアイテムが類似しており、類似機能性が期待できる。【０００３】本発明の芳香組成物生成は、アロマセラピ−における期待と精神性理学の期待に関するものである。
【背景技術】
【０００４】芳香組成物質の抽出は、依然として各種の個別対応がなされ、抽出物質の性状対策に汎用性は希薄で、対象物質の成分組成の抽出が十分な成果を上げ得ているとは言えない実態である。対象成分物質を、消臭、脱臭、抗菌、殺菌、臨床効果等の汎用性を可能とし、積極的に効果が追求でき得る技術を提供する。
【発明の開示】
【発明が解決しようとする課題】
【０００５】前記従来、芳香組成物、機能は類似し、感覚属性に関する香料と香りの分野において、臭覚感覚に一様性のない複雑分野のまま用いられていることと、高額の容器、設備投資を要している。本発明の、芳香組成成分抽出方法は、公知の感覚属性の実用化を鑑みることを課題とした。【０００６】本発明は、このような実状に鑑みなされたものであり，芳香組成物質を技術開発でその提供を目的とする。
【課題を解決するための手段】
【０００７】課題を解決するため、本発明技術は、前記の芳香組成物を対象多物質構造に汎用活用を図ったことにより、請求項１から５の好ましい選択の合理的構成が得られ、この発明に到達した。
【発明の効果】
【０００８】以上のように、本発明技術は、芳香組成物質成分を無駄なく発揮され、融合性に優れ、汎用され、その期待は大きい。【０００９】芳香組成物成分効用は、公知とされているものに、抗菌力、殺菌力、除菌力、院内感染を効果的に防止できるとされている。森林浴と同様の精神安定効果から癒しと自然治癒力を高めるアイテムの複合の発揮されることを特徴とする。【００１０】地域資源素材の利用技術となり、しかも、天然資源の活用から安定供給ができ、規模の自在設定ができることからも地域産業に貢献することを特徴とする。
【発明を実施するための最良の形態】
【００１１】本発明は、対象芳香組成成分を、前述の芳香組成物、生成方法の成分組成加工を図ることの汎用性。つまり、選択による好ましい効果が得られる。【００１２】なお、本発明は上記技術の実施に限定されるものではなくでもって、本発明趣旨を逸脱しない種々範囲の変形は、可能とすることを特徴とした。
【産業上の利用可能性】
【００１３】本発明の、芳香組成物の生成抽出方法と、天然素材の加工技術による製品に係わる。
また、天然素材利用から、安定供給が得られる。【００１４】上記、地域の天然資源を生産活用することで産業上の利用可能性を有する。
(57)【要約】      （修正有）【課題】環境利用と産業利用をもって地域経済の活性化を図るため、大量に産出され、廃棄物として処理されてきた木質破砕物、モミガラ、水草、雑草、農業廃棄植物などの天然素材を活用し、特別な技術を要さず、単純な工程からなるローコストな製造工程により、バイオマス固形燃料を製造する方法を提供する。【解決手段】木質破砕物、モミガラ、水草、雑草、農業廃棄植物などの天然素材を擂り潰し、圧縮し、押出し成形することにより、バイオマス固形燃料を製造する。【選択図】なし【特許請求の範囲】
【請求項１】
木質破砕、モミガラ、乾燥水草、雑草、農業廃棄物等の廃棄物擂り潰し、固形化燃料を可能とした製造装置。
【請求項２】
上記工程は、擂り潰す時に光熱発生が伴い雑草の発芽抑制を抑え、クズ米、クズ大豆、農業廃棄物等の家畜の飼料、堆肥等を製造する汎用性を可能とすることを特徴とした製造方法。
【請求項３】
上記製造品目を単一、混合をすることを特徴とした製造方法。
【請求項４】
請求項１、２、３の固形物が用途適用に混合、分別混合され汎用性の創造を可能とすることから、趣旨を逸脱しない範囲の変更は、本発明に含まれる。
【発明の詳細な説明】
【技術分野】
【０００１】本発明は、木質破砕，モミガラ、水草、雑草、農業廃棄物などの天然素材を固形燃料とする。
環境利用と産業利用をもって地域経済の活性化を図る。
製造工程は、特別な技術を要さず、単純な工程からなり、ローコスト製造を特徴とする。【０００２】上記の廃棄物資源の活用による素材は、バイオマス燃料とした固形燃料に関する。
【背景技術】
【０００３】自然素材の廃棄物として処理されていた。【０００４】上記は、大量に産出されてはいるものの、用途に制限があり、有効活用が全国的に検討されている。
【発明の開示】
【発明が解決しようとする課題】
【０００５】大量に産出されている廃棄物をバイオマス固形燃料としての有効活用を図ることを目的とする。【０００６】上記を活用する場合に、圧縮成形により燃焼効率が高まることと移動効率が図れる。【０００７】天然素材を基材にすることから、自然に優しいバイオマス燃料として活用される
【課題を解決するための手段】
【０００８】本発明は、擂り潰しの押出成形で一定の圧力作用により、極めて高密度の品質の均質化が図れ熱効率の高いものが期待できる。【０００９】本発明における機能は、循環型資源の活用から大量に発生する廃棄物をエネルギーに変換する、その効果の活用を特徴とした。
【発明の効果】
【００１０】本発明の擂り潰し押出成形によるバイオマス燃料の製造方法は、圧縮され、しかも、高密度の成形品を特徴とした。圧縮技術には高性能が発揮され、経済負担も少なく、しかも製造工程は特別な技術を要しないのが特徴。【００１１】本発明は、循環型の利活用を目的とした、上記廃棄物を擂り潰し、圧縮、押出成形の製造機械に投入実施することによって、高密度の高いバイオマス固定燃料が製造される。原料１００パーセントの有効燃料が製造される。【００１２】上記生産には、安定供給が可能であり、しかも安価である。本発明は特別な技術を必要とせず、有る物を用いて無い物をつくることを特徴とした。【００１３】本発明の原料は天然素材成分であり有害物質は発生しない。【００１４】本発明の製造技術は混合成形であり高度技術を要しない。本製造炭化物は先進的な環境浄化と産業上の利用に貢献する。
【発明を実施するための最良の形態】
【００１５】本発明品は、安定供給のできる天然素材の利活用で環境に優しいのが特徴である。【００１６】擂り潰す、圧縮する、押出成形をする混合成形形態である。【００１７】上記の単純さと合理的な成形製造が特徴。【００１８】この実施例については，アタッチメント交換によるオリジナル製品を可能とし、有る物を用いて無い物をつくる発明に関する技術を特徴する。
【産業上の利用可能性】
【００１９】本発明の実施に係わるバイオマス固形燃料の製造方法は、擂り潰し、圧縮、押出成形製造によるものであり、特別の製造技術を必要としない。【００２０】製造用途に応じて製造品目の単一製造、混合製造を特徴とした。【００２１】製造による汎用性は、大幅な利活用ができ向上させることができ、常備することで有能性が発揮される。【００２２】請求項２で述べたように、環境の負荷を考慮した装置に関する。
(57)【要約】【課題】室内壁の表面に化石含有塗料を塗り材して室内の悪臭、化学物質の濃度の減少が得られる化石含有塗料を得る。【解決手段】上記のように本発明の化石含有塗料がもつ高い吸放湿性能効果で結露防止、脱臭、化学物質が除去され、安価で安全性と安心が得られる。【選択図】なし【特許請求の範囲】
【請求項１】
化石含有塗料組成物は、化石使用するので安全な室内塗料の仕上げ材を特徴とする。
【請求項２】
請求項１を塗布によってなる壁の下地を選ばない化石含有塗料を特徴とする。
【請求項３】
塗り壁材にカラーの選択を添加して成ることを特徴とする。
【請求項４】
請求項１から３に植物精油を添加して成る等趣旨を逸脱しない範囲の変更は、本発明に含まれる。
【発明の詳細な説明】
【技術分野】
【０００１】本発明は、家屋の内壁にシックハウス対策として優れた臭いの吸着分解効果、調湿効果を備えた表面層を成形する化石含有塗料に関するものである。
【背景技術】
【０００２】従来の内部建材には、吸湿作用、臭気の吸着作用に優れた効果は乏しかった。【０００３】本発明は、上記の改善をはかることから室内空気質を効果的に抑制する。
【発明の開示】
【発明が解決しようとする課題】
【０００４】本発明は、好適な室内環境を提供することを目的とする。
【課題を解決するための手段】
【０００５】本発明は上記目的解決対応を多目的用に達成するために、化学物質のない快適な住環境を提供することを目的とする。
【発明の効果】
【０００６】室内に高い吸湿効果が得られる。【０００７】本発明の化石含有塗料組成物は、微粒子の成形物であり、塗布、噴霧の際にムラが生じても断熱効果が得られ内部温度調整に適している。【０００８】室内壁の膜を損傷しない化石含有塗料で被膜を成形することができた。【０００９】化石氏含有塗料は、上記機能を安価で備え付け、しかも、作業能率を考慮した。
【発明を実施するための最良の形態】
【００１０】本発明の実施形態は多目的に活用できることを特徴とする。【００１１】化石含有塗料は、既設の室内壁、又は設置前の壁の素材を選ばずに塗布できることを特徴とする。【００１２】長期間耐用ができる。しかも、安価で安全、安心なことを特徴とする。【００１３】化石をそのまま使用することから安全な仕上げ材を特徴とする。【００１４】クラックに強いので、下地の形状、素材等によって塗り壁対応の可能なことを特徴とする。
【産業上の利用可能性】
【００１５】施工性に優れていることから、塗り手を選ばず、速く施工ができ作業効率が良い。【００１６】軽量を特徴とし、展示場、スポーツ関連設置等に様々な活用ができ、しかも、安価で安心、安全な塗り壁塗料を提供し、産業上の利用に貢献できる。
(57)【要約】【課題】夜間の転倒防止用の夜光製品から生じる異様な不快感を払拭するものがなかったため、日常的に利用する親しみが沸かなかった。昼夜関係なく、年齢を問わず、誰にでも安心して親しめる転倒防止を兼ねた、ドアノブアクセサリーを提供する。【解決手段】中心とも言える基板に２種の光輝度の違う夜光を添付することによって、時々刻々と変化して行く様を楽しめるように工夫する。又、可動性を持たせるために、ドアノブの基底部にドアノブを握った際に邪魔にならない厚みを持った枠体と枠体に冠着するカバー体を設け、二つを冠着した際に出来る溝に、各種、夜光を施した基板を取り付ける。【選択図】図２
2011074748.tif 000002
【特許請求の範囲】
【請求項１】
夜光シールとその上に光輝度の異なる夜光塗料を表面に塗布したレースペーパーを重合し、それを更に基板に添付して装飾性を持たせる事により時間の経過による変化を演出し、又、従来のものとは違って夜光の範囲を広く取る事によって、よりドアノブの位置を確認し易いようにし、可動性を持たせるためにドアノブの基底部に枠体と、それをカバーするカバー体を取り付け、その溝に各種、夜光を添付した基板を取り付ける。以上の構成よりなるドアノブアクセサリー。
【発明の詳細な説明】
【技術分野】
【０００１】  本発明は、夜間、暗闇で発光をしてドアノブの位置を教えると共に、ドアノブを美しく装飾する発光式ドアノブのアクセサリーに関するものである。
【技術背景】
【０００２】  従来、ドアノブを発光させるために、ドアノブにＬＥＤを内蔵したものやドアノブのカバーに発光塗料を含浸させて、夜間にドアノブの所在を知らせるものがあった。
（特許文献１参照）
【先行技術文献】
【０００３】
【特許文献１】  特開平１１−３５０８０４公報
【発明の概要】
【発明が解決しようとする課題】
【０００４】  従来、ドアノブを発光させ、所在を確認させるものは有ったが、ドアノブ自体を夜光でカバーする程度であった。また、夜光製品はいずれも、ほの白く発光するために、暗がりで見ると異様な不快感を免れなかった。
【課題を解決するための手段】
【０００５】    夜光シールとその上に光輝度の異なる夜光塗料を表面に塗布したレースペーパーを重合し、それを更に基板に添付して装飾性を持たせる事により時間の経過による変化を演出し、又、従来のものとは違って夜光の範囲を広く取る事によって、よりドアノブの位置を確認し易いようにし、可動性を持たせるためにドアノブの基底部に枠体と、それをカバーするカバー体を取り付け、その溝に各種、夜光を添付した基板を取り付ける。以上の構成よりなるドアノブアクセサリー。
【発明の効果】
【０００６】  従来のものとは違ってドアノブの基底部に装着し、ドアノブの周囲を美しく装飾することによって夜光の異様な不快感を解消し、素材に光輝度の違う夜光を使用することによって、時々刻々と変化する様子も楽しむことが出来る。年齢を問わず誰にでも親しめ、発光箇所も広範囲なため、容易にドアノブの所在も確認することが出来る。
【図面の簡単な説明】
【０００７】
【図１】本発明の正面図
【図２】本発明の斜視図
【図３】本発明の分解斜視図
【図４】本発明の断面図
【発明を実施するための形態】
【０００８】  以下、本発明の実施の形態を説明する。
（イ）本発明はドアノブの基底部に装着するための発光塗料からなる装飾のカバーであって、ドアに接着する枠体Ａと枠体Ａに冠着するカバー体Ｃ、及び枠体Ａとカバー体Ｃの間に系止する模様体Ｂからなる。
（ロ）裏面に接着剤が塗布された枠体Ａは、中央にドアノブ１０を貫通させる貫通穴９ａを有する円形状の内縁１とその貫通穴９ａの周縁に表面に突出する突状の環状体雄部２を設ける。
（ハ）模様体Ｂは、カバー体Ｃより広い面積を有する基板５と基板５に重合する夜光シール６、夜光シール６に重合するレースペーパー７の三層の積層からなる。模様体Ｂの中央に、環状体２と４に系止するための貫通穴９ｂ、９ｃ、９ｄを設けているが、この貫通穴９ｂ、９ｃ、９ｄは環状体２と４よりやや大きな直径を有し、模様体Ｂは環状体の外周を遊動自在に系止される。
（ニ）夜光シール６の全表面に夜光塗料が塗布され、レースペーパー７の表面全体には夜光シール６の輝度と異なる夜光塗料が塗布される。またレースペーパー７には微細な模様穴８が無数に設けられ、夜光シール６の夜光が模様穴８を透過してレースペーパー７の表面で発光する。このときレースペーパー７表面の発光と夜光シール６の発光は光輝度が異なるために、優美な二層の光模様となる。
（ホ）カバー体Ｃは模様体Ｂを挟みながら枠体Ａに連結するが、カバー体Ｃは中央にドアノブを貫通する貫通穴９ｅを有する外縁３と貫通穴９ｅの周縁に環状体雌部４が設けられ、環状体雌部４は環状体雄部２に冠着される。
本発明は以上の構造からなる。
本発明を使用するときは、ドアノブ１０の基底部に枠体Ａを裏面の接着剤を利用して接着し、カバー体Ｃの環状体雌部の周縁に模様体Ｂを系止した上で、枠体Ａに冠着し、連結する。
模様体Ｂはドアノブ１０の装飾となるが、夜光シール６及びレースペーパー７の異なる夜光塗料の光輝度の違いによって微妙な光のグラディエーションが楽しめる他、２種の光の発光が時間の経過によって各々変化していく様もうかがえるように工夫されている。夜間見ていても美しく、従来の夜光の異様さは解消した上、発光が広範囲なため、容易にドアノブの位置を確認することができる。
【符号の説明】
【０００９】Ａ枠体、Ｂ模様体、Ｃカバー体、１内縁、２環状体雄部、３外縁、４環状体雌部、５基板、６夜光シール、７レースペーパー、８模様穴、９貫通穴、１０ドアノブ
【図１】
2011074748.tif 000003
【図２】
2011074748.tif 000004
【図３】
2011074748.tif 000005
【図４】
2011074748.tif 000006
(57)【要約】      （修正有）【課題】青空駐車場等において、基礎工事の必要なく、組立設置が出来て、折りたたむ事が出来る、車の保護、管理を良くし、出車時をスムースにする車庫を提供する。【解決手段】車を載せるベース１と、フレーム２、車を覆うテントシート６から成り、空車時には、上部構造物であるフレーム２やテントシート６はすべてベース内に収納出来る様にした車庫。【選択図】図１
2011074751.tif 000002
【特許請求の範囲】
【請求項１】
車を載せるベースを持ち、このベース内に車庫となる上部構造物を収納出来る車庫。
【発明の詳細な説明】
【発明の詳細な説明】
【０００１】  この発明は、青空駐車場等において、基礎工事の必要なく、設置出来る様に考案した組立式で、折りたたむ事が出来る車庫である。
構成は、車を載せるベース１と、このベース前後に配した起伏の出来るフレーム２と、同じくベース片側に巻き取り収納してある、テント、シート６（以下シートと云う）から成る。車庫となる上部構造物は、折りたたむ事により全てベース内に収まる。このベースやフレームは、いくつかに分割してあり、使用する現場にて長さ、巾、高さを調整して、他の部品と共に組み立てる。運搬と持ち運びを楽にする。
車庫とするには、まず、フレームを起こすのであるが、ベース内前後に回転軸４を設置。これを、チェン５により連動する様に連結する。
一方の回転軸を回す事によりベース前後方向にチェンが長円回転をする。このチェンに、フレームの足元を回転方向に合わせ接続してあり、チェンの移動を利用してフレームを起こす。
フレームの上、下、中間位置と、ベースとを自由つなぎの支持棒３でつないでおり、この支持棒を軸にして、フレームを正確な位置に起こす。
フレームの起伏は、回転軸の回転方向を変える事で行う。
なお、フレームの起伏の動力として油圧シリンダー等の利用も可能である。
次に、このフレーム上に、シートを張るのであるが、ベース内左右に設置してある回転軸８を回転させる事により片側の回転軸に巻き取り、収納してあるシートを反対側の回転軸に巻き取る事で、シートはフレーム上をおおい車庫となる。
シート巻取用の回転軸もチェン９で連結しており、左右が連動する。
シートは、フレーム上を移動する様、帯１０で、シートのはしと反対側の回転軸とを継いである。シートの出し入れは、回転軸の回転方向を変える事で行う。
シートには張りを持たせるため、要所に、ベース前後方向に棒７を配しており、これをシートと一体として、車庫の外まくとする。
回転軸の動力には、バッテリー駆動のモーター等を利用する。
以上の様に構成された折りたたみ車庫。
【技術分野】
【０００２】  車の車庫
【背景技術】
【０００３】  地面に杭を打ち込み、これにパイプを組み立て、その上にシートを張り固定した車庫や、鋼板で出来ているプレハブ型の車庫があるが、いずれも白線で区切られた賃貸の駐車場への設置は基礎工事を必要とし、無理である。
又、アルミ等で骨組をして、屋根にアクリル板を張った車庫もあるが、これは強力な基礎工事を必要とする。
次に、車に直接シートを掛ける、オートシートもあるが、これは脱着が面倒で、特に降雨時や降雨後等は、シートが車のボディに接着して、始末に大変である。
以上の様に、この様な駐車場で使用出来る車庫はなかった。
【発明が解決しようとする課題】
【０００４】  特に夏は車内が高温となり、すぐには乗れない状態となる。冬には霜の付着等、車を出す為の準備が大変な時がある。さらに雨ざらしによる色落ちや、汚れ等もあり、特に新車をこの様な場所に置くのはしのびない気持である。
【問題を解決するための手段】
【０００５】  据置型で、折りたたむ事が出来る車庫を考案した。
空車時はベースのみとなるので、この上を人や車も通行する事が出来て、見通しもよい。
又、車庫替の際も跡がきれいである。
【発明を実施するための形態】
【０００６】  据置型で組立式であるため、運搬や設置が簡単である。
防犯や事故等に対応して、車庫の前後を開放して、車庫内を見易くした。
基礎となるベースは組み立てると相当な重量となるが、設置面にはゴムを装備して、ベースをずれなくした。
風向、風速計を利用したセンサーにより、強風時には無人でもシートを巻き取る。
フレームの内側にはクッション材を張り、車体との直接の接触を防ぐ。
【実施例】
【０００７】  車を載せるベース内に収納されている前後のフレームを起こし、これもベース内横に巻き取り収納してあるシートを、反対側の巻取軸によって、フレーム上に張り、車庫となる。
【発明の効果】
【０００８】  直射日光による、車内の高温や、雨ざらしによる汚れや、色落ち、又、霜等のガラス面への付着等、色々な問題から、車を保護する事が出来る。
【図面の簡単な説明】
【図１】  本考案の正面図である。
【図２】  本考案の側面図である。
【符号の説明】１  ベース                  ２  フレーム            ３  フレーム支持棒
４  フレーム起伏用回転軸    ５  チェン              ６  テントシート
７  シート張り用の棒材      ８  シート巻取用回転軸
９  チェン                  １０  帯
【図１】
2011074751.tif 000003
【図２】
2011074751.tif 000004
(57)【要約】【課題】  例えば、超大型の建設機械のアクチュエータを、１つの切換弁で制御しようとすると、その切換弁も大型化せざるをえない。しかし、切換弁を大型化すると、スプールのストローク制御が難しくなる。この発明は、スプールのストローク制御を簡単にできるようにしている。【解決手段】  ポンプＰとアクチュエータＡ１，Ａ２をつなぐ通路過程に、当該ポンプＰおよびアクチュエータＡ１，Ａ２に対して並列に接続した一対の切換弁１，２および５，６を設け、これら一対の切換弁１，２および５，６の制御特性に応じて、上記ポンプＰから上記アクチュエータＡ１，Ａ２の供給流量を制御する構成にしている。【選択図】  図１
2011074970.tif 000002
【特許請求の範囲】
【請求項１】
ポンプとアクチュエータをつなぐ通路過程に、当該ポンプおよびアクチュエータに対して並列に接続した一対の切換弁を設け、これら一対の切換弁の制御特性に応じて、上記ポンプから上記アクチュエータへの供給流量を制御する構成にした油圧回路装置。
【請求項２】
上記一対の切換弁のうち、一方の切換弁のバルブ容量を、他方の切換弁のバルブ容量よりも大きくした請求項１記載の油圧回路装置。
【発明の詳細な説明】
【技術分野】
【０００１】
この発明は、１つのアクチュエータに２系統の切換弁を接続した油圧回路装置に関する。
【背景技術】
【０００２】
１つのアクチュエータに２系統の切換弁を接続した油圧回路装置として、例えば、建設機械におけるブームシリンダやアームシリンダの２速制御用の回路が従来から知られている。
この種の油圧回路装置は、上記２系統の切換弁を別々のポンプに接続し、１つのアクチュエータに、１つのポンプの吐出油のみを供給したり、２つのポンプからの吐出油を合流させてアクチュエータに供給したりして、アクチュエータの作動速度をしている。
【先行技術文献】
【特許文献】
【０００３】
【特許文献１】特開平１０−３３１２０９号公報
【発明の概要】
【発明が解決しようとする課題】
【０００４】
上記のようにした従来の油圧回路装置では、１つのアクチュエータに一対の切換弁を接続するとともに、それら切換弁は別々のポンプに接続されているので、１つのポンプの供給量を、２つのバルブが一体になって制御するものではない。言い換えると、従来の油圧回路装置では、２速制御は可能であるが、それら切換弁を選択制御することとによって、多様な制御特性が得られるものではなかった。
この発明の目的は、２つの切換弁を用いて多様な制御特性が得られる油圧回路装置を提供することである。
【課題を解決するための手段】
【０００５】
第１の発明は、ポンプとアクチュエータをつなぐ通路過程に、当該ポンプおよびアクチュエータに対して並列に接続した一対の切換弁を設け、これら一対の切換弁の制御特性に応じて、上記ポンプから上記アクチュエータへの供給流量を制御する構成にしたものである。
第２の発明は、上記一対の切換弁のうち、一方の切換弁のバルブ容量を、他方の切換弁のバルブ容量よりも大きくしたものである。
【発明の効果】
【０００６】
第１，２の発明によれば、一対の切換弁のそれぞれの開度を、個別に制御することによって、アクチュエータに対する流量をいかようにも制御できる。言い換えると、一対の切換弁の制御特性に応じて、アクチュエータに供給する流量を制御することができる。
また、上記切換弁の制御特性、特に、微小制御の特性は、スプールに形成したノッチによって決められるが、大型バルブの場合には、ノッチを形成したとしても、スプールのわずかなストロークでも大きな流量が流れてしまうので、熟練オペレータでなければ操作できない。
【０００７】
しかし、この発明のようにポンプおよびアクチュエータのそれぞれに対して、一対のバルブを並列にすることによって、例えば一方の切換弁のバルブ容量を、他方の切換弁のバルブ容量よりも大きくするというように、両者のバルブ容量に変化を与えることによって、容量が小さい切換弁側で微小制御が可能になる。
【図面の簡単な説明】
【０００８】
【図１】この発明の回路図である。
【発明を実施するための形態】
【０００９】
図示の実施形態は、１台のポンプＰと、このポンプＰの吐出油が供給される油圧モータＡ１と油圧シリンダＡ２とを備えている。
そして、上記油圧モータＡ１には一対の切換弁１，２を並列に接続するとともに、これら切換弁１，２は、供給通路３，４を介してポンプＰと並列に接続されている。
また、上記油圧シリンダＡ２には一対の切換弁５，６を並列に接続するとともに、これら切換弁５，６は、パラレル通路７，８を介してポンプＰと並列に接続されている。
【００１０】
上記のようにした切換弁１および２は、図示の中立位置にあるとき、その中立ポート９，１０が開き、左右いずれかの切り換え位置にあるとき、アクチュエータポート１１〜１４が開いてポンプＰからの吐出油を油圧モータＡ１に供給するとともに、油圧モータＡ１からの戻り油をタンクＴに導く。
【００１１】
さらに、切換弁５，６は、図示の中立位置にあるとき、その中立ポート１５，１６が開き、左右いずれかの切り換え位置にあるとき、アクチュエータポート１７〜２０が開いてポンプＰからの吐出油を油圧シリンダＡ２に供給するとともに、油圧シリンダＡ２からの戻り油をタンクＴに導く。
【００１２】
上記のようにした油圧回路装置においては、１台のポンプＰの吐出油を、切換弁１，２に分流させて油圧モータＡ１に供給するようにしているので、例えば、切換弁１で大流量を制御し、切換弁２で小流量を制御することができ、超大型の建設機械の微小制御もやり易くなる。
【００１３】
つまり、超大型の建設機械では、当該油圧回路装置に大流量が流通するが、その大流量に対応するために、切換弁も大型化せざるを得ない。
もし、１つの切換弁だけで、超大型の建設機械に対応するために、その切換弁を大型化すると、スプールをわずかに移動しただけで、大流量が流れてしまうので、その微小制御が難しくなる。しかし、この実施形態のように、２種類の切換弁をポンプＰおよび油圧モータＡ１に並列に接続しておけば、いずれか一方の切換弁に微小制御を担わせることができるので、超大型化にも対応することができる。
上記のことは、油圧シリンダＡ２に関しても同様のことが言える。
【００１４】
なお、この実施形態では、油圧モータＡ１と油圧シリンダＡ２とを用いたが、この発明では、どのようなアクチュエータを用いてもよい。
いずれにしても、ポンプとアクチュエータとの間に、２つの切換弁を並列に接続されていれば、アクチュエータの種類や切換弁の態様等は制限されない。
【産業上の利用可能性】
【００１５】
超大型の建設機械に用いるのに適している。
【符号の説明】
【００１６】
Ｐ      ポンプ
１，２    切換弁
Ａ１      アクチュエータである油圧モータ
５，６    切換弁
Ａ２      アクチュエータである油圧シリンダ
【図１】
2011074970.tif 000003
(57)【要約】      （修正有）【課題】発電効率の高いソーラー・パネルを提供する。【解決手段】水（液）超臨界にかけ、成分を強アルカリ性Ｈ２０（ＰＨ１２．５〜１３．０）にし、分子レベルにする。カーボン・ナノチューブを混入し、蓄電及び発電性を持たせる。この加工した水（液）を７０℃に暖め、太陽発電プレートを漬け込む。太陽発電プレートの発電素子及び正極及び負極のターミナルを含む，太陽発電プレート基板の表裏面へ浸透後に乾燥させ、蓄電及び発電性を高め、漏電を抑える。【選択図】なし【特許請求の範囲】
蓄電及び発電性のある液を浸透塗布した，発電効率の高いソーラー・パネル。
【発明の詳細な説明】
本発明によれば，蓄電及び発電性のある液を使用した太陽発電プレートを作ることにより，従来の太陽発電プレートより発電効率の高い発電ができる，太陽電池に対する，表面処理方法。
2011233547.tif 000002
2011233547.tif 000003
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
蓄電及び発電性のある液を浸塗布した，発電効率の高いソーラー・パネル。
【手続補正２】
【補正対象書類名】明細書
【補正対象項目名】全文
【補正方法】変更
【補正の内容】
【発明の詳細な説明】
【０００１】本発明によれば，蓄電及び発電性のある液を使用した太陽発電プレートを作ることにより，従来の太陽発電プレートより発電効率の高い発電ができる，太陽電池に対する，表面処理方法。
【図面の簡単な説明】
【０００２】
【図１】はカーボンナノ・チューブ液を浸塗布した，ソーラー・パネルを表す図である。
【図２】はカーボンナノ・チューブ液を浸塗布した，ソーラー・パネルの直流電流を測定，３．２５アンペアの測定値を表す図である。
【図３】はカーボンナノ・チューブ液を浸塗布した，ソーラー・パネルの直流電圧を測定，２１．１９ボルトの測定値を表す図である。
【手続補正３】
【補正対象書類名】図面
【補正対象項目名】全図
【補正方法】変更
【補正の内容】
【図１】
2011233547.tif 000004
【図２】
2011233547.tif 000005
【図３】
2011233547.tif 000006
(57)【要約】【課題】消費者がＯＴＣ薬を購買するとき、消費者健康レベル、性別などにより飲まない方が良い薬なのかどうかの判断は添付文書に記載されていることが多いが、添付文書を開かなくとも簡単にチェックできるようにしたい。【解決手段】ＯＴＣの添付文書を解析し、主な疾病に対しての禁忌情報をデータベース化してあらかじめ準備し、消費者がＯＴＣを購入する時点で、禁忌の疾病や禁忌である患者の健康レベルを明示する仕組みを作る。【選択図】図１
2011233121.tif 000002
【特許請求の範囲】
【請求項１】
ＯＴＣ薬品の添付文書中の注意に関する記述を文章解析して、服用してはならない患者の疾病や健康レベルを抽出して分類し、服用してはならない患者状況と薬品名をペアとした構造のデータベース。
【請求項２】
請求項１のデータベースをネットワーク上のデータベースに格納しておき、消費者が携帯電話を介して、このデータベースにアクセスすることで、消費者の基礎疾患が当該ＯＴＣ薬品と禁忌であるかどうかを携帯端末上で実現するしくみ。
【請求項３】
携帯電話で医薬品の包装に記述してあるバーコードを読み込ませて、当該薬品の添付文書を携帯電話のディスプレイ上に参照できるように、ＪＡＮコードと携帯端末ディスプレイ上に表示できるように、添付文書を編集したデータベース。
【請求項４】
請求項３のデータベースを販売店店舗のレジシステム内に置き、消費者が医薬品を購入時に、価格を判別するために読み込んだバーコード情報から価格情報と同時に、当薬品の注意すべき疾病や患者の状況をディスプレイに表示して、注意喚起を行えるようにしたポスレジコンピュータシステム。
【発明の詳細な説明】
【技術分野】
【０００１】本発明は、一般用医薬品の販売に関する。
【背景技術】
【０００２】ＯＴＣ医薬品の注意事項はＯＴＣ薬の包装の内部に納品書として格納されている添付文書中に記述されている。
【発明が解決しようとする課題】
【０００３】消費者がＯＴＣ薬品を購入しようとした場合、注意しなければならない疾病や、服用後の注意点などの詳細は包装箱を開けてみなければわからない。
【０００４】ＯＴＣの服用に際して、重大な注意事項は、簡便にかつスピーディーに消費者に提示されるべきである。
【課題を解決するための手段】
【０００５】ＯＴＣに関する添付文書情報中の患者が注意すべき事項の記述を解析し、服用してはならない疾病、注意すべき事項、その他禁忌事項などで、重大なものを絞り込み、薬品名とペアとしたデータベースを作成する。
【０００６】このデータベースをネットワーク上のサーバーに置き、携帯端末などでアクセスした場合に禁忌情報、注意情報を瞬時に携帯端末に応答させるしくみ。
【０００７】このとき患者の基礎疾患をサーバーに登録しておけば、各個人個人がサーバーにアクセスするだけで、患者が服用しても問題のない薬品かどうかを判別できる。
【０００８】またこのデータベースはポスレジシステムの中に保持させて、医薬品を消費者が購入する手続きをする際に、価格情報だけでなく、消費者が注意すべき薬品情報を消費者に提供できるようになる。
【発明の効果】
【０００９】消費者がＯＴＣ薬品を購入するときに、薬剤師など販売店に存在する人を介しての情報提供だけでなく、自らの行動で薬品情報を入手できるようになる。消費者が店舗内で、薬剤師や販売員をつかまえなくても、自らの意思で情報を入手することで消費者の自己健康管理を支援することができる。
【図面の簡単な説明】
【００１０】
【図１】携帯端末を用いて薬品のバーコードを読み込むことで情報を入手する
【図２】本発明のデータベースをポスレジに置いた場合の会計処理の概念
【発明を実施するための形態】
【００１１】本発明のデータベースを携帯端末で利用する場合の実施の形態を図１に基づいて説明する。
【００１２】図においては、▲１▼がＯＴＣ薬品の注意情報を解析して得られたデータベースである。
【００１３】▲２▼が患者の基礎疾患や患者の特質を保持するデータベースである。
【００１４】本発明のデータベースを会計用のポスレジで利用する場合の実施の形態を図２に基づいて説明する。
【００１５】▲３▼が店舗のポスレジに組み込んだデータベースの概念である。ＯＴＣ薬品の価格情報を知るために読み込んだバーコード情報から同時に医薬品情報を読み込み、患者の基礎疾患等と照らし合わせてチェックする。重大な基礎疾病でなくても、販売員による注意喚起を実現できる。
【図１】
2011233121.tif 000003
【図２】
2011233121.tif 000004
(57)【要約】【課題】様々な施設に於いて、照明を得る方法に蛍光灯器具が使用されてきた。直管形ランプに対応させたＬＥＤランプの本発明は、その特性を活用し低消費電力、高照度、高演色及び長寿命を有効に生かしている。ＬＥＤランプシステムの長寿命を図る電気回路を構築し、光の諸特性を透明アクリル丸棒レンズを用いて可能にした。【解決手段】簡便なランプ交換のみで、省エネルギーの大幅な低減と、長寿命による経済効果は大きい。総合的に環境保全に有効である。【選択図】図１
2011233489.tif 000002
【特許請求の範囲】
【請求項１】
（１）グロー及びラビットスタート式蛍光灯の磁気性安定器を使用した器具のソケット部を利用して、ＬＥＤランプを点灯させる接続システム。
【請求項２】
（２）抵抗Ｒ１，Ｒ２の値を選択して、グロー及びラビット式器具への使分けを可能にした回路システム
【請求項３】
（３）ＬＥＤの出力と発熱を制御するために、抵抗をＲ１とＲ２に分割し、負担の分担を行う電圧制御部。
【請求項４】
（４）安定器２次側の台形波形を滑らかにするため、ダイオードをブリッジ回路で構成した整流制御部。
【請求項５】
（５）発光時のチラツキを防止し、均一な配光を得る手段として、抵抗Ｒ０とコンデンサーＣを組み合わせた整流制御部。
【請求項６】
（６）ＬＥＤの出力抑制に伴う、照度を補う手段として発光表面に透明アクリル製の丸棒レンズ（７）を装着させた光増幅と拡散の機能。
【請求項７】
（７）請求項１から７の機能を一体化してランプ内に収納したＬＥＤシステムランプ。
【請求項８】
（８）直管型蛍光灯の２０・３０・４０．１１０Ｗに対応を可能にした回路機能。
【発明の詳細な説明】
【発明の詳細な説明】
【技術分野】
【０００１】本発明は、日常的に使用されている直管型蛍光ランプに変わり、必要照度を保持し消費電力の低減を図る発光イオードを使用したＬＥＤシステムランプである。
【背景技術】
【０００２】本装置に用いた回路のシステムは見当たらない。
【発明の概要】
【発明が解決しようとする課題】
【０００３】一般的に使用されている蛍光ランプは、消費電力と照度及び寿命等を捉えても、経済的環境保全の面於いても、必ずしも良好とは言えない。ＬＥＤの特性を生かし、その機能を有効に活用する手段として、蛍光形ランプの形状と合致させ、ＬＥＤランプの交換のみを行うことで、省力化も含め省エネルギー効果が得られ、環境保全に有利である。
【問題を解決するための手段】
【０００４】上記の目的を達成させるために、比較的多く使用されているグロー及びラビット式器具の両方で使用が可能な、互換性のある機能が重要となる。
【０００５】発光ダイオードを点灯させる手段として、グロー及びラビット式蛍光灯のいずれも、安定器２次側の電源を使用する。発生する電圧はランプを固定するソケット（１）に印加される。
このため電圧の制御が必要である。抵抗Ｒ１及びＲ２で入力電圧を抑制する。
抵抗Ｒ１、Ｒ２はＬＥＤの出力及び発熱制御を有利にする電圧制御部（２）に位置する。
【０００６】安定器２次側の電圧波形は磁気効果により、台形波形のため、波形修正が必要となる。
【０００７】電圧制御部（２）から送られた波形は、ダイオードで整流される。均一な波形を得るためにダイオードをブリッジ形に接続する。台形波形に含まれる尖頭部も抑制され平坦な波形と成る、前段の抵抗Ｒ１、Ｒ２により電圧制御がなされているため、ブリッジ回路のダイオードの発熱抑制にも効果が得られる。これは整流制御部（３）に位置する。
【０００８】整流された波形は更に抵抗Ｒ０とコンデンサーＣにより平滑化され直流電圧波形に近似しＬＥＤ点灯時のチラツキ防止に有効となる。これは平滑制御部（４）に位置する。
【０００９】修正された電圧はＬＥＤユニット（５）に供給される。ＬＥＤ単体の順電圧及び許容電力許容温度の制限が不可欠であり、放熱用にアルミフィン台座（１０）を使用した。
【発明の効果】
【００１０】ＬＥＤを発光させるための基本として、単体の順電圧、電流及び許容電力、温度の特性を遵守させなければならない。許容量に余力を持たせるため特性機能の制御が重要となる。
このため光度の低下が発生する。これを補う手段として、透明アクリル丸棒レンズ（７）をＬＥＤの発光面に装着させる。光の増幅と拡散に充分な効果が得られた。
【００１１】必要照度を得るための光源として、ＬＥＤは不可欠な存在である。対象を蛍光灯に置くと特に直管形の蛍光ランプは出力に応じて種類も豊富である、これらのランプに対応可能な本発明はエネルギーを管理する上でも効果は大きく、環境保全に役立つものと考える。
【図面の簡単な説明】
【図１】基本回路図である
【図２】ＬＥＤランプの立面図である
【図３】ＬＥＤランプ断面図である
【発明を実施するための形態】
【００１２】電圧制御部（２）は安定器の２次側電圧が印加されるため、様々な尖頭波が含まれている高許容電力の抵抗をＲ１，Ｒ２に分け熱分担させ、総合発熱量を抑制させた。
【００１３】抵抗Ｒ１、Ｒ２の値を選択する事によりブルッジ回路のダイオードの負担を低減させ発熱を抑制することで、ダイオードの寿命の延長を可能にした。
【００１４】さらに、流用する蛍光灯器具に使用されている、安定器の特性との整合を得るために抵抗Ｒ１、Ｒ２の値を選択し、必要とされる電圧を整流制御部（３）に供給する。
【００１５】使用されている直管形蛍光ランプは、その出力に応じて総長が異なる。ＬＥＤランプの必要なユニット数を決定し、規格長に整合させ、出力は抵抗Ｒ１，Ｒ２の値で調整する。
【００１６】ＬＥＤは長寿命と表記されているが、あくまでＬＥＤ単体でありこれを機能させる電気的な付帯回路を含んだ総合寿命が課題である。本発明は各々の回路を担う素子の許容能力に充分な余裕を持たせるため出力の抑制を図っている。必要な照度を得る手法として光の増幅と拡散を、透明アクリル製丸棒レンズ（７）を付加させることで解決した。
【実施例】
【００１７】図１は本発明の基本回路の概容を示すものである。
【産業上の利用可能性】
【００１８】日常的に、利用されている蛍光灯器具に使用しているランプのみをＬＥＤランプに簡便に交換する事により、環境照度を大幅に改善し、電力消費の著しい低減が可能である。
利用施設は多大であり、総合的な省エネルギー効果と環境保全に大きく寄与できる。
【符号の説明】
【００１９】（１）    差込ソケットピン
（２）    電圧制御部
（３）    整流制御部
（４）    平滑制御部
（５）    ＬＥＤユニット
（６）    ソケットカバー
（７）    丸棒レンズ（透明アクリル製）
（８）    ＬＥＤチップ
（９）    ＬＥＤ基板
（１０）  放熱フィン台座（アルミ製）
（１１）  側面透明アクリル板
【図１】
2011233489.tif 000003
【図２】
2011233489.tif 000004
【図３】
2011233489.tif 000005
(57)【要約】      （修正有）【課題】地震による一戸建て住宅または建物の、地震による倒壊防止補強工法を提供する。【解決手段】筋交い入り補強フレーム３の固定金具５を、既存一戸建て住宅または建物の外壁側の柱７・梁６に穴をあけ固定する。固定金具５と柱７・梁６との接触面には凹凸の加工が施され、密着を良くしまたずれ防止がなされている。筋交い入り補強フレーム３と固定金具５の固定方法としては、木造の場合はビスまたはボルトを使用し、鉄骨造の場合は溶接またはボルトし、穴には直接コーキング等をする。【選択図】図２
2011208487.tif 000002
【特許請求の範囲】
【請求項１】
柱（７）・梁（６）の外壁に穴をあけ、固定金具（５）を柱（７）・梁（６）に固定する。
筋交い入り補強フレーム（３）と固定金具（５）を固定する建物耐震補強工法。
【発明の詳細な説明】
【技術分野】
【０００１】この発明は地震による建物倒壊防止補強工法に関するものである。
【背景技術】
【０００２】  従来の技術の欠点は柱・梁から金具までの長さが長く、強度不足。また、筋交いの丸棒が、いかにも弱々しく、また、デザイン的にもあまり良いとはいえない。一個建て住宅または建物が、その補強筋交いを入れる事により、簡易プレハブのごとく見栄えの悪い物になってしまっていた。
【先行技術文献】
【０００３】
【特許文献１】
【非特許文献１】
【発明の概要】
【発明が解決しようとする課題】
【０００４】  梁から金具までの長さが長く、強度不足。また、筋交いの丸棒が、いかにも弱々しく、また、デザイン的にもあまり良いとはいえない。一個建て住宅が、その補強筋交いを入れる事により、簡易プレハブのごとく見栄えの悪い住宅または建物になってしまっていた。本発明はこれらの欠点を解決する為になされたものである。
【課題を解決するための手段】
【０００５】  筋交い入り補強フレーム（３）の固定金具（５）を柱（７）・梁（６）の外壁に穴をあけ固定する。筋交い入り補強フレーム（３）と固定金具（５）を締め付け固定する。筋交い入り補強フレーム（３）は１個から数個を積み重ねる事により、柱（７）・梁（６）とのつなぎ及び補強の筋交いとなる。本発明は以上の構成からなる建物耐震補強工法である。
【発明の効果】
【０００６】  発明の効果を説明すれば、固定金具（５）の柱（７）及び梁（６）への固定が簡単であり、屋外での作業であり、工事中も生活に何も影響が無く、壁等解体も無いので、短期間の工事期間で工事も出来るし、結局安価な工法と言える。従来の工法に比べ、強度的にもアップしているし、デザイン的にも、単なる補強の筋交いでは無く、建物のデザインの一部として、優れていると言える。
【図面の簡単な説明】
【０００７】
【図１】  実施組付図・実施図  １・実施図  ２
【図１】  部品及び組付状態詳細図
【発明を実施するための形態】
【０００８】  ［１］発明の構造を説明すれば、筋交い入り補強フレーム（３）の固定金具（５）を柱（７）・梁（６）の外壁に穴をあけ、固定する。固定金具（５）と柱（７）・梁（６）との接触面には凹凸の加工が施され、より、密着よくし、ずれ防止がなされている。筋交い入り補強フレーム（３）と固定金具（５）を固定する。
筋交い入り補強フレーム（３）は、柱（７）・梁（６）とのつなぎ及び補強の筋交いとなる。本発明は以上の構成からなる建物耐震補強工法である。
［２］筋交い入り補強フレーム（３）は１個でも良いし、任意の個数重ねても良い。
［３］土台と基礎を一体固定する金具を、筋交い入り補強フレーム（３）で兼用一体製作し、ホールダウン対策する事も考えられる。
［４］固定金具（５）を柱（７）・梁（６）の外壁に穴をあけ、木造の場合、ビス止めまたはボルト止めする方法も考えられる。
［５］柱（７）・梁（６）が鉄骨の場合、溶接、ナッターによりボルト止めし、固定金具（５）を柱（７）・梁（６）に固定する事もできる。
［６］固定金具（５）取り付け部外壁にあけられた穴のクリアランスに雨の浸透を防ぐために、固定金具（５）と外壁クリアランス部に直接コーキング等を施工する。
［７］固定金具（５）とは別に雨水防止金具を取り付ける事もできる。
［８］本発明は、木造・鉄骨にも、それぞれ対応する固定金具（５）を使用すれば、取り付け可能だし、住宅・ビル・工場のあらゆる建物に取り付ける事ができる建物耐震補強工法である。
［９］本発明は、外部に取り付ける為に発明された物であるが、外部に取り付けられない場合は、建物内部にでも取り付ける事ができる建物耐震補強工法である。
本発明は以上のような構造で、それを工事するには、固定金具（５）を柱（７）・梁（６）の外壁に穴をあけ、固定する。筋交い入り補強フレーム（３）と固定金具（５）を締め付け固定する建物耐震補強工法である。
【符号の説明】
【０００９】１−外壁    ２−外壁にあけられた穴    ３−筋交い入り補強フレーム
４−筋交い入り補強フレームと固定金具の締め付けボルト
５−固定金具    ６−梁    ７−柱
【図１】
2011208487.tif 000003
【図２】
2011208487.tif 000004
【手続補正書】
【提出日】平成22年6月14日(2010.6.14)
【手続補正１】
【補正対象書類名】明細書
【補正対象項目名】０００７
【補正方法】変更
【補正の内容】
【０００７】
【図１】・実施組付図…実施時の組み付け状態の図  ・実施図  １…建物に１カ所、実施した状態を表した図  ・実施図  ２…建物に２カ所、実施した状態を表した図
【図２】部品及び組付状態詳細図、上図から下図に順番に説明  ・筋交い入り補強フレーム（３）を組み付けした状態の断面図  ・固定金具（５）と筋交い入り補強フレーム（３）組み付け位置関係の図  ・梁（６）と柱（７）に筋交い入り補強フレーム（３）を組み付けした図  ・左の図は固定金具（５）の断面図、右の図は固定金具（５）平面図
(57)【要約】      （修正有）【課題】排泄設備は原則として、性別ごとに設置される事が望ましいが、一般の家庭事情では男女共用便器方式が主流であるから、狭隘便室でも清潔、快適な併用便器を提供する。【解決手段】基台便器１に便座２と飛散防止枠３を背面対向する事が原則で、便座２と飛散防止枠３の位置交換方法である。吊上回動方式を例示したもので、便座２は直立，飛散防止枠３は駆動腕６で主柱に沿って傾動後自重によって反転し前倒する。便座２は直立、飛散防止枠３は駆動腕６で上昇し，回転盤８で双方が１８０度位置交換後に下降し基台便器１内に挿入する。【選択図】図２
2011208490.tif 000002
【特許請求の範囲】
【請求項１】
基台便器１上に便座２と飛散防止枠３が背面対向して、設置される事を特徴とする併用便器の機構。
【請求項２】
制御機構５で便座２は直立，飛散防止枠３は主柱４に沿って駆動腕６で懸垂後、倒立反転し先端が基礎便器１内に挿入する事を特徴とする併用便器の機構。
【請求項３】
制御機構５で便座２は直立、飛散防止枠３が駆動腕６で吊上げ後、回転盤８で双方が１８０度連動して位置交換し、駆動腕６で飛散防止枠３が下降して基礎便器１内に挿入する事を特徴とする併用便器の機構。
【請求項４】
請求項１，２，３に記載した機能を特徴とする併用便器の機構。
【発明の詳細な説明】
【技術分野】  本発明は便器の清潔保持と住環境との調和で快適、簡便さを保全する。
【背景技術】  清潔、快適便座等の供給。      （株）東陶、ＩＮＡＸ。
【発明の開示】
【発明が解決しようとする課題】  排泄設備は原則として性別ごとに設けることが望ましいが、現状では供用方式で利用と管理面で問題がある。
【問題を解決する為の手段】
使用実態を解明し機能別の配列及び構成で，性別に快適な併用便器を考案した。
【発明を実施する為の最良の形態】
本発明の基本実施例は、便座２と飛散防止枠３を背面対向で配置する方式で、後方に傾動と反転する方式を考案し
特願２０１０−１３８７１９で出願した。本考案はこれを補足するもので、懸垂反転方と吊上回動方式を考案した。図１は懸垂反転方式を例示したもので、基台便器１，便座２、制御機構５の作動で便座２は直立、半円錐又は凹形の飛散防止枠３は主柱４と駆動腕６で懸垂後前面に反転する。飛散防止枠３は２分割されていて反転後自重で内枠が摺下する。７は踏板流水弁で流水する。切換ボタン８で逆手順で作動する方式である。
図２は吊上回動方式で，制御機構５の作動で便座２は直立、駆動腕６が飛散防止枠３を吊上げ後、回転盤４で双方が連回動し位置交換をする。次いで駆動腕６で飛散防止枠３の先端が基台便器１内に挿入される方式である。
【発明の効果】
家庭での供用式の便器では、清潔と快適さを維持し難い、この為には機能別の方式が望ましく、狭隘面積下でも違和感の無い背面対向方式による併用便器をを考案した。
【図面の簡単な説明】
【図１】懸垂反転方式。
【図２】吊上回動方式。
【符号の説明】１、基台便器
２、便座
３、飛散防止枠
４、主柱
５、制御機構
６、駆動腕
７、踏板流水弁
８、回転盤
【図１】
2011208490.tif 000003
【図２】
2011208490.tif 000004